(57)【要約】【課題】シリコン等によるシーリング作業をなくし設置の作業性向上と、連結部に長期に亘り確実な止水機能と清潔さを維持し得る衛生設備ユニットのフロア構造を提供する。【解決手段】少なくとも２つのフロアパンを連結することによりフロアを形成する衛生設備ユニットのフロア構造であって、各フロアパンの連結部において、一方のフロアパンに上下方向に突出した所定高さの突条を一体形成すると共に、両パンを連結した場合に前記突条と係合する係合部を他方のフロアパンに一体形成したことを特徴とする。前記連結部においては、一方のフロアパンが下部に位置してその突条が上方に突出すると共に、他方のフロアパンが上部に位置してその係合部が前記突条に上方から載置されて係合される。【選択図】　図１
2004060142.tif 000002
【特許請求の範囲】
【請求項１】
少なくとも２つのフロアパンを連結することによりフロアを形成する衛生設備ユニットのフロア構造であって、
前記各フロアパンの連結部において、一方のフロアパンに上下方向に突出した所定高さの突条を一体形成すると共に、両パンを連結した場合に前記突条と結合し得る係合部を他方のフロアパンに一体形成したことを特徴とする衛生設備ユニットのフロア構造。
【請求項２】
前記連結部において、一方のフロアパンが下部に位置してその突条が上方に突出すると共に、他方のフロアパンが上部に位置してその係合部が前記突条に上方から載置されて係合されることを特徴とする請求項１に記載の衛生設備ユニットのフロア構造。
【請求項３】
前記他方のフロアパンの係合部が、前記一方のフロアパンの突条の形状に対応した突条で形成されていることを特徴とする請求項１または２に記載の衛生設備ユニットのフロア構造。
【請求項４】
前記突条と係合部との間にパッキンが介装されていることを特徴とする請求項１ないし３のいずれかに記載の衛生設備ユニットのフロア構造。
【請求項５】
前記一方のフロアパンが洗濯機側パンであり、他方のフロアパンが脱衣場側パンであることを特徴とする請求項１ないし４のいずれかに記載の衛生設備ユニットのフロア構造。
【発明の詳細な説明】
【０００１】
【発明の属する技術分野】
本発明は、例えば洗面室ユニット等の衛生設備ユニットにおけるフロア構造に係わり、特に複数のフロアパンを連結することによりフロアが形成される衛生設備ユニットのフロア構造に関する。
【０００２】
【従来の技術】
従来、洗面室に脱衣場が一体化された洗面室ユニットにおいては、図８及び図９に示すように、そのフロア１が矢印ａ側の洗濯機側パン２と矢印ｂ側の脱衣場側パン３の２つのフロアパンを連結することによって構成されている。すなわち、洗濯機側パン２は、図１０及び図１１に示すように洗濯機が設置される洗濯機設置部４と、点検口５を有し浴室入口部となって簀の子が設置される一段低い簀の子設置部６等を有するように形成され、脱衣場側パン３は、図１２及び図１３に示すように略平板状に形成されている。
【０００３】
そして、図８に示すように、洗濯機側パン２上に脱衣場側パン３の端部を載置して連結固定し、各パン２、３の外周部にアルミニウムの押出成形品等で形成された立ち上げ部材９及びこの立ち上げ部材９を覆うカバー部材１０等を設置すると共に、図９に示すように、脱衣場側パン３及びカバー部材１０の端部と洗濯機側パン２との連結部間にシリコンＳ等のシーリング剤を塗布することによって連結部を止水し、簀の子から落ちる水滴や洗濯時に漏れる洗濯機側パン２上の水の該パン２外への漏出を防止するようになっている。
【０００４】
【発明が解決しようとする課題】
しかしながら、このフロア構造にあっては、洗濯機側パン２と脱衣場側パン３及びカバー部材１０の連結部の止水がシリコンＳのシーリングに依存しているため、シリコンＳを連結部に沿って作業者が一々塗布する必要があって、作業性が劣るという問題点を有している。また、シリコンＳの塗布状態に作業者によるバラツキが発生し易いため、長期に亘り確実に止水することが困難であると共に、シリコンＳの塗布部分の清潔さを長期に亘り維持することが難しいという問題点も有している。
【０００５】
本発明は、このような事情に鑑みてなされたもので、その目的は、シリコン等によるシーリング作業をなくし設置の作業性向上と、連結部を長期に亘り確実に止水すると共に清潔さを維持し得る衛生設備ユニットのフロア構造を提供することにある。
【０００６】
【課題を解決するための手段】
かかる目的を達成すべく、本発明のうち請求項１に記載の発明は、少なくとも２つのフロアパンを連結することにより略平板状のフロアを形成する衛生設備ユニットのフロア構造であって、前記各フロアパンの連結部において、一方のフロアパンに上下方向に突出した所定高さの突条を一体形成すると共に、両パンを連結した場合に前記突条と結合し得る係合部を他方のフロアパンに一体形成したことを特徴とする。
【０００７】
このように構成することにより、少なくとも２つのフロアパンは、一方のフロアパンの連結部に一体形成された上下方向の突条と、他方のフロアパンの連結部に一体形成された係合部との係合によって連結されてフロアが形成される。この時、突条の高さを所定に設定しこの突条と係合部を係合させるだけで、一体形成した突条によって確実に止水することができ、連結部へのシーリング剤の塗布が不要となって設置の作業性の向上が図れる。
【０００８】
そして、請求項２に記載の発明のように、前記連結部において、一方のフロアパンが下部に位置してその突条が上方に突出すると共に、他方のフロアパンが上部に位置してその係合部が前記突条に上方から載置されて係合されることが好ましい。このように構成することにより、一方のフロアパン上に他方のフロアパンを載置するだけで、突条と係合部が係合して連結と同時に止水することができることから、設置の作業性の一層の向上が図れる。
【０００９】
また、請求項３に記載の発明のように、前記他方のフロアパンの係合部が、前記一方のフロアパンの突条の形状に対応した突条で形成されていることが好ましい。このように構成することにより、係合部が突条の形状に対応していることから、突条と係合部の係合状態が確実となって、一層確実に止水することができると共に設置の位置決め等が容易となって、設置の作業性のより一層の向上が図れる。
【００１０】
また、請求項４に記載の発明のように、前記突条と係合部との間にパッキンが介装されていることが好ましい。このように構成することにより、突条と係合部間に介装されたパッキンの止水機能が加わり、より一層確実に止水することができる。
【００１１】
また、請求項５に記載の発明のように、前記一方のフロアパンが洗濯機側パンであり、他方のフロアパンが脱衣場側パンであることが好ましい。このように構成することにより、浴室ユニットに連設される洗濯機側パンと脱衣場側パンを有する洗面室ユニット等であっても、両パンの連結部を確実に止水しつつ両パンを簡単に連結して設置することが可能になる。
【００１２】
【発明の実施の形態】
以下、本発明の実施の形態を図面に基づいて詳細に説明する。
図１〜図７は、本発明に係わるフロア構造を洗面室ユニットに適用した場合の一実施例を示し、図１がその要部の斜視図、図２がその縦断面図、図３が連結部の変形例を示す断面図、図４が洗濯機側パンの斜視図、図５が図４のＡ−Ａ線に沿った断面図、図６が脱衣場側パンの斜視図、図７が図６のＢ−Ｂ線に沿った断面図である。なお、図８〜図１３に示す従来例と同一部位には同一符号を付して説明する。
【００１３】
図１及び図２において、洗面室ユニットのフロア１は、矢印ａ側の洗濯機側パン２と矢印ｂ側の脱衣場側パン３との連結構造によって構成されている。洗濯機側パン２は、図４及び図５に示すように、脱衣場側パン３と面一の洗濯機設置部４と、点検口５が開口され脱衣場側パン３より一段低く簀の子７（図１参照）が設置される簀の子設置部６等を有している。
【００１４】
また、洗濯機側パン２の簀の子設置部６の外周部には、その上面が例えば洗濯機設置部４の上面（脱衣場側パン３の上面）より所定寸法低い高さｈ１で板厚ｔ１の突条８が平面視で長方形状に一体形成され、この突条８の外側に、脱衣場側パン３や立ち上げ部材９等が載置される壁設置部１１がそれぞれ形成されている。
【００１５】
前記脱衣場側パン３は、図６及び図７に示すように、外周縁部に下方に所定寸法ｈ２突出した板厚ｔ２の突条１２ａと水平方向に所定寸法ｈ３突出した突条１２ｂからなる係合部１２が一体形成されている。なお、突条１２ａの寸法ｈ２は、前記洗濯機側パン２の突条８の高さｈ１と略同一に設定されると共に、突条１２ｂの寸法ｈ３は突条８の板厚ｔ１と略同一に設定されている。
【００１６】
そして、この洗濯機側パン２と脱衣場側パン３は、図１及び図２に示すように、洗濯機側パン２の長方形状の突条８のうち、脱衣場側パン３が連結される突条８ａ（図２、図４、図５参照）の上に、脱衣場側パン３の前記係合部１２が載置された状態で設置される。すなわち、脱衣場側パン３の突条１２ａを洗濯機側パン２の突条８ａの外側の壁設置部１１上に位置させることで、突条１２ｂの下面が突条８ａの上面に載置されて、洗濯機側パン２の突条８ａと脱衣場側パン３の２つの突条１２ａ、１２ｂからなる係合部１２とが係合される。
【００１７】
一方、洗濯機側パン２の長方形状の突条８のうち、前記突条８ａを除く３つの突条８ｂ上には、図２に示すように、立ち上げ部材９を覆うカバー部材１０の端部に設けた前記脱衣場側パン３の係合部１２と同様の２つの突条１３ａ、１３ｂからなる係合部１３が載置されて係合される。これにより、両パン２、３の連結部やカバー部材１０との連結部において、各突条８ａ、８ｂに止水機能が付与され、洗濯機側パン２の簀の子設置部６内に水が溜まった場合であっても、水の突条８ａ、８ｂ外（洗濯機側パン２外）への漏出が確実に防止されることになる。
【００１８】
なお、以上の説明では、洗濯機側パン２の突条８を洗濯機設置部４から簀の子設置部６の外周全域を囲むように長方形状に形成したが、例えば簀の子設置部６の点検口５周囲の開放されている３方の周囲にのみ突条８を一体形成すると共に、この突条８に対応させて脱衣場側パン３の所定位置に所定形状の係合部１２を形成して、各突条８や洗濯機設置部４の点検口５側の側壁に止水機能を付与することもできる。
【００１９】
このフロア１は、先ず洗濯機側パン２を設置し、この洗濯機側パン２上に脱衣場側パン３をその係合部１２が突条８ａに係合する状態に載置して連結する。この時、洗濯機側パン２の突条８ａと脱衣場側パン３の突条１２ａとによって両パン２、３の位置決めが確実かつ容易に行え、洗濯機側パン２の突条８ａによって両パン２、３の連結部の止水性が確保されることになる。そして、洗濯機側パン２上に脱衣場側パン３を連結設置したら、洗濯機側パン２や脱衣場側パン３の外周部の前記壁設置部１１上に立ち上げ部材９を載置して連結固定すると共に、この立ち上げ部材９をカバー部材１０で覆う。
【００２０】
この時の洗濯機側パン２の壁設置部１１に対応したカバー部材１０も、その係合部１３を突条８ｂに係合させることによって位置決めされつつ洗濯機側パン２に連結され、その突条８ｂによって止水性が確保されることになる。そして、このカバー部材１０が取り付けられた立ち上げ部材９上に、図１の二点鎖線で示すように、ドア１４付きの壁パネル１５や通常の壁パネル１６を載置して連結固定することにより、洗濯機側パン２と脱衣場側パン３からなるフロア１の４方に壁パネル１５、１６が設置された洗面室ユニットが組み立てられる。
【００２１】
このように、上記実施例のフロア１にあっては、洗濯機側パン２の簀の子設置部６及び洗濯機設置部４の外周部に上方に突出した突条８を一体形成すると共に、この突条８に上方から載置係合し得る係合部１２を脱衣場側パン３に一体形成しているため、脱衣場側パン３を洗濯機側パン２上に載置するだけで、突条８と係合部１２の突条１２ａ、１２ｂとが係合し、突条８によって洗濯機側パン２の簀の子設置部６内の止水性を確保することができる。
【００２２】
また、洗濯機側パン２の外周部の壁設置部１１に設置されるカバー部材１０にも前記係合部１２と同様の係合部１３を一体形成しているため、洗濯機側パン２の簀の子設置部６の外周全域を突条８で止水することができる。これらにより、両パン２、３の連結部やカバー部材１０との連結部に、従来のようなシリコンＳを塗布する面倒なシーリング作業が不要となり、洗面室ユニットの設置の作業性を向上させることができると共に、シリコンＳの使用が不要となって設置に係わる部材数を低減化させ、結果として洗面室ユニットの設置コストの低減化を図ることが可能になる。
【００２３】
特に、脱衣場側パン３の係合部１２の突条１２ａが、洗濯機側パン２の突条８と略同一形状に形成されると共に、突条８や係合部１２の寸法が所定に設定されているため、両突条８、１２ａによって止水性を一層高めることができると共に、突条８と係合部１２に両パン２、３の設置時の位置決め機能をも付与することができて、洗面室ユニットの設置を一層容易に行うことが可能になる。
【００２４】
また、洗濯機側パン２に一体形成された突条８に止水機能が付与されてシーリング剤の使用が不要となるため、従来のようなシリコンＳの塗布作業のバラツキ発生がなくなり、長期に亘り確実な止水性を確保することが可能になると共に、長期使用で汚れ易いシリコンＳの使用がなくなり、連結部を長期に亘り清潔な状態に維持することができて、例えばフロア１の清掃等が容易に行える等、洗面室ユニットのメンテナンス性の向上も同時に図ることが可能になる。
【００２５】
さらに、止水機能が付与される洗濯機側パン２の突条８が該パン２に一体成形で形成されているため、その高さｈ１を適宜に設定することで、万一洗濯機側パン２の簀の子設置部６に何らかの原因で多量の水が貯留された場合であっても、この水を外部に漏出することなく確実に貯留することができて、十分な止水効果を得ることが可能になる。
【００２６】
なお、上記実施例においては、脱衣場側パン３に設けられる係合部１２に洗濯機側パン２の突条８に対応した突条１２ａを設けたが、本発明はこれに限定されず、係合部１２を例えば図３に示すように構成することもできる。すなわち、図３（ａ）に示す構造は、脱衣場側パン３の外周部に切欠からなる係合部１２を一体形成し、この係合部１２を洗濯機側パン２の突条８の上部に載置して係合させるようにしたものである。また、図３（ｂ）に示す構造は、突条１２ａの長さを突条８より短くしたものであり、このように脱衣場側パン３の係合部１２の形状は、洗濯機側パン２の突条８と係合し得る適宜の形状を採用できる。
【００２７】
また、上記実施例において、図２の二点鎖線で示すように、突条８（図で突条８ａ）と係合部１２との間にシール性を有するパッキン１７を介装させて、止水性を一層高める構成とすることもできる。さらに、上記実施例においては、衛生設備ユニットとして、洗面室ユニットを例にして説明したが、本発明はトイレユニット、浴室ユニット、キッチンユニット等の各種衛生設備ユニットであって２つ以上のフロアを連結するフロア構造に適用することができる。
【００２８】
【発明の効果】
以上詳述したように、請求項１に記載の発明によれば、一方のフロアパンの連結部に上下方向の突条が一体形成されると共に、他方のフロアパンの連結部に係合部が一体形成され、突条と係合部との係合によって両フロアパンが連結されて略平板状のフロアが形成されるため、突条の高さを所定に設定しこの突条と係合部を係合させるだけで、突条等に止水機能を持たせることができて、連結部へのシーリング剤の塗布等が不要となって設置の作業性向上を図ることができると共に、一体形成した突条によって長期に亘り確実に止水することができると共に連結部における汚れ等の発生を防止できて清潔さを長期に亘り維持することができる。
【００２９】
また、請求項２に記載の発明によれば、請求項１に記載の発明の効果に加え、一方のフロアパンの突条に他方のフロアパンの係合部が上方から載置されて係合されるため、一方のフロアパン上に他方のフロアパンを載置するだけで突条と係合部が係合して連結と同時に止水することができ、設置の作業性の一層の向上を図ることができる。
【００３０】
また、請求項３に記載の発明によれば、請求項１または２に記載の発明の効果に加え、他方のフロアパンの係合部が一方のフロアパンの突条の形状に対応した突条で形成されているため、突条同士の係合となって係合状態が確実となり、一層確実に止水することができると共に、設置の位置決め等が確実かつ容易となって設置の作業性のより一層の向上を図ることができる。
【００３１】
また、請求項４に記載の発明によれば、請求項１ないし３に記載の発明の効果に加え、突条と係合部との間にパッキンが介装されているため、パッキンの止水機能も加わり、連結部における止水性をより一層確実にすることができる。
【００３２】
また、請求項５に記載の発明によれば、請求項１ないし４に記載の発明の効果に加え、一方のフロアパンが洗濯機側パンで他方のフロアパンが脱衣場側パンであるため、浴室ユニットに連設される洗面室ユニット等であっても、両パンの連結部における止水性を確実にすると共に、両パンを簡単に設置することが可能になる等の効果を奏する。
【図面の簡単な説明】
【図１】本発明に係わるフロア構造を洗面室ユニットに適用した場合の一実施例を示す要部の斜視図
【図２】同その縦断面図
【図３】同連結部の変形例を示す断面図
【図４】同その洗濯機側パンの斜視図
【図５】同図４のＡ−Ａ線に沿った断面図
【図６】同脱衣場側パンの斜視図
【図７】同図６のＢ−Ｂ線に沿った断面図
【図８】従来のフロア構造の要部の斜視図
【図９】同その縦断面図
【図１０】同その洗濯機側パンの斜視図
【図１１】同図１０のＡ−Ａ線に沿った断面図
【図１２】同脱衣室場側パンの斜視図
【図１３】同図１２のＢ−Ｂ線に沿った断面図
【符号の説明】
１・・・・・・・・・フロア
２・・・・・・・・・洗濯機側パン
３・・・・・・・・・脱衣場側パン
４・・・・・・・・・洗濯機設置部
５・・・・・・・・・点検口
６・・・・・・・・・簀の子設置部
７・・・・・・・・・簀の子
８、８ａ、８ｂ・・・突条
９・・・・・・・・・立ち上げ部材
１０・・・・・・・・カバー部材
１１・・・・・・・・壁設置部
１２・・・・・・・・係合部
１２ａ、１２ｂ・・・突条
１３・・・・・・・・係合部
１３ａ、１３ｂ・・・突条
１４・・・・・・・・ドア
１５、１６・・・・・壁パネル
１７・・・・・・・・パッキン
【図１】
2004060142.tif 000003
【図２】
2004060142.tif 000004
【図３】
2004060142.tif 000005
【図４】
2004060142.tif 000006
【図５】
2004060142.tif 000007
【図６】
2004060142.tif 000008
【図７】
2004060142.tif 000009
【図８】
2004060142.tif 000010
【図９】
2004060142.tif 000011
【図１０】
2004060142.tif 000012
【図１１】
2004060142.tif 000013
【図１２】
2004060142.tif 000014
【図１３】
2004060142.tif 000015